(57)【要約】【課題】清潔なあるいはコンパクトなトイレ装置を提供することを目的とする。【解決手段】機能水を生成可能な機能水生成部と、前記機能水生成部により生成された機能水を貯留可能な貯水部と、前記貯水部に貯留された機能水を便器のボウルの表面または人体の局部を洗浄する人体洗浄ノズルの表面に向けて噴出する噴出部と、を備え、前記噴出部が前記貯水部に貯留された機能水を噴出するときに前記機能水生成部および前記貯水部を通過し前記噴出部に供給される洗浄水の流量は、前記機能水生成部により生成された機能水が前記貯水部に貯留されるときに前記貯水部に供給される機能水の流量よりも多いことを特徴とするトイレ装置が提供される。【選択図】図２
2014196628.tif 000002
【特許請求の範囲】
【請求項１】
機能水を生成可能な機能水生成部と、
前記機能水生成部により生成された機能水を貯留可能な貯水部と、
前記貯水部に貯留された機能水を便器のボウルの表面または人体の局部を洗浄する人体洗浄ノズルの表面に向けて噴出する噴出部と、
を備え、
前記噴出部が前記貯水部に貯留された機能水を噴出するときに前記機能水生成部および前記貯水部を通過し前記噴出部に供給される洗浄水の流量は、前記機能水生成部により生成された機能水が前記貯水部に貯留されるときに前記貯水部に供給される機能水の流量よりも多いことを特徴とするトイレ装置。
【請求項２】
前記噴出部が前記貯水部に貯留された機能水を噴出するときに前記機能水生成部および前記貯水部を通過し前記噴出部に供給される洗浄水の流量と、
前記機能水生成部により生成された機能水が前記貯水部に貯留されるときに前記貯水部に供給される機能水の流量と、
を調整する切替弁をさらに備えたことを特徴とする請求項１記載のトイレ装置。
【請求項３】
前記切替弁は、前記機能水生成部の下流側且つ前記貯水部の上流側に設けられ第１のポートと第２のポートとを有し、前記第１のポートが前記貯水部と連通し前記第２のポートが前記便器の排水配管と連通する第１の状態と、前記第１のポートおよび前記第２のポートが前記貯水部と連通する第２の状態と、を切替可能であり、
前記機能水生成部により生成された機能水が前記貯水部に貯留されるときには、前記切替弁は、前記第１の状態となり、前記噴出部が前記貯水部に貯留された機能水を噴出するときには、前記切替部は、前記第２の状態となることを特徴とする請求項２記載のトイレ装置。
【請求項４】
前記切替弁および前記貯水部は、前記機能水生成部と一体化されたことを特徴とする請求項２または３に記載のトイレ装置。
【請求項５】
前記機能水生成部は、アルカリ性水と、機能水として寄与し前記貯水部に貯留される酸性水と、を生成する電解槽を有し、
前記貯留部は、内部に格納された金属を有し、
前記噴出部から噴出される機能水は、金属イオンを含む酸性水として前記ボウルの表面に噴出されることを特徴とする請求項１〜４のいずれか１つに記載のトイレ装置。
【請求項６】
前記切替弁は、前記機能水生成部の上流側に設けられ第１のポートと第２のポートとを有し、前記第１のポートが前記貯水部と連通し前記第２のポートが前記便器の排水配管と連通する第１の状態と、前記第１のポートおよび前記第２のポートが前記貯水部と連通する第２の状態と、を切替可能であり、
前記機能水生成部により生成された機能水が前記貯水部に貯留されるときには、前記切替弁は、前記第１の状態となり、前記噴出部が前記貯水部に貯留された機能水を噴出するときには、前記切替部は、前記第２の状態となることを特徴とする請求項２記載のトイレ装置。
【請求項７】
前記機能水生成部は、電解槽を有し次亜塩素酸を含む水を生成し、
前記噴出部から噴出される機能水は、次亜塩素酸を含む水として前記ボウルの表面に噴出されることを特徴とする請求項１または６に記載のトイレ装置。
【発明の詳細な説明】
【技術分野】
【０００１】
本発明の態様は、一般的に、トイレ装置に関する。
【背景技術】
【０００２】
近年、清潔性の向上に伴い、例えば殺菌効果を有する機能水を人体洗浄用のノズルに吐水したり、機能水を便器に吐水したりする技術が知られている。例えば、次亜塩素酸水を機能水として便器のボウルの表面に噴霧するトイレ装置がある（特許文献１）。  
一方で、意匠性の観点から、コンパクトなトイレ装置が求められている。そのためには、機能水を生成する機能水生成装置をコンパクト化させる必要がある。
【０００３】
しかし、機能水生成装置を小さくすると、機能水の生成量が少なくなる。すると、機能水を吐水あるいは噴霧するときの瞬間流量が減少する。そのため、例えば対象部位が便器のボウルの表面である場合において、便器のボウルの表面全体に万遍なく機能水を吐水あるいは噴霧することが困難となるという問題がある。  
これに対して、機能水の生成量を少なくし、ポンプ等を使用することで機能水を吐水あるいは噴霧するときの瞬間流量を多くすることが、１つの手段として考えられる。しかし、この場合には、コストが大幅に増加するとともに、トイレ装置のコンパクト化を阻害するという問題がある。
【先行技術文献】
【特許文献】
【０００４】
【特許文献１】特許第５０２９９３０号公報
【発明の概要】
【発明が解決しようとする課題】
【０００５】
本発明は、かかる課題の認識に基づいてなされたものであり、清潔なあるいはコンパクトなトイレ装置を提供することを目的とする。
【課題を解決するための手段】
【０００６】
第１の発明は、機能水を生成可能な機能水生成部と、前記機能水生成部により生成された機能水を貯留可能な貯水部と、前記貯水部に貯留された機能水を便器のボウルの表面または人体の局部を洗浄する人体洗浄ノズルの表面に向けて噴出する噴出部と、を備え、前記噴出部が前記貯水部に貯留された機能水を噴出するときに前記機能水生成部および前記貯水部を通過し前記噴出部に供給される洗浄水の流量は、前記機能水生成部により生成された機能水が前記貯水部に貯留されるときに前記貯水部に供給される機能水の流量よりも多いことを特徴とするトイレ装置である。
【０００７】
このトイレ装置によれば、比較的少ない流量で機能水を生成することができるとともに、比較的多い流量の機能水を貯水部から噴霧ノズルへ流すことができる。これにより、比較的少ない水量の機能水を比較的多い瞬間流量で噴霧することができる。そのため、便器のボウルの表面全体に万遍なく機能水を噴霧することができる。また、人体洗浄ノズルの表面に比較的多い瞬間流量で機能水を噴霧することができ、人体洗浄ノズルの表面をより清潔にすることができる。そのため、清潔なトイレ装置を提供することができるとともに、コンパクトなトイレ装置を提供することができる。
【０００８】
第２の発明は、第１の発明において、前記噴出部が前記貯水部に貯留された機能水を噴出するときに前記機能水生成部および前記貯水部を通過し前記噴出部に供給される洗浄水の流量と、前記機能水生成部により生成された機能水が前記貯水部に貯留されるときに前記貯水部に供給される機能水の流量と、を調整する切替弁をさらに備えたことを特徴とするトイレ装置である。
【０００９】
このトイレ装置によれば、切替弁を用いることで、簡単に流量を調整することができる。そのため、清潔なトイレ装置を提供することができるとともに、コンパクトなトイレ装置を提供することができる。
【００１０】
第３の発明は、第２の発明において、前記切替弁は、前記機能水生成部の下流側且つ前記貯水部の上流側に設けられ第１のポートと第２のポートとを有し、前記第１のポートが前記貯水部と連通し前記第２のポートが前記便器の排水配管と連通する第１の状態と、前記第１のポートおよび前記第２のポートが前記貯水部と連通する第２の状態と、を切替可能であり、前記機能水生成部により生成された機能水が前記貯水部に貯留されるときには、前記切替弁は、前記第１の状態となり、前記噴出部が前記貯水部に貯留された機能水を噴出するときには、前記切替部は、前記第２の状態となることを特徴とするトイレ装置である。
【００１１】
このトイレ装置によれば、流路切替弁の構造を有する切替弁を用いることで、機能水が噴霧されるときの流量と、機能水が貯水部に貯留されるときの流量と、をより簡単に調整することができる。そのため、清潔なトイレ装置を提供することができるとともに、コンパクトなトイレ装置を提供することができる。
【００１２】
第４の発明は、第２または３の発明において、前記切替弁および前記貯水部は、前記機能水生成部と一体化されたことを特徴とするトイレ装置である。
【００１３】
このトイレ装置によれば、機能水生成部、切替弁および貯水部を１つの装置としてユニット化することができるため、よりコンパクトなトイレ装置を実現することができる。
【００１４】
第５の発明は、第１〜４のいずれか１つの発明において、前記機能水生成部は、アルカリ性水と、機能水として寄与し前記貯水部に貯留される酸性水と、を生成する電解槽を有し、前記貯留部は、内部に格納された金属を有し、前記噴出部から噴出される機能水は、金属イオンを含む酸性水として前記ボウルの表面に噴出されることを特徴とするトイレ装置である。
【００１５】
このトイレ装置によれば、噴出部から噴出される機能水は、金属イオンを含む酸性水である。金属イオン酸性水は、ケイ酸の重合を抑制し、ケイ酸に由来する水垢の生成を抑制することができる。そのため、より簡易的な機構によりケイ酸に由来する水垢の除去を容易にすることができる。
【００１６】
第６の発明は、第２の発明において、前記切替弁は、前記機能水生成部の上流側に設けられ第１のポートと第２のポートとを有し、前記第１のポートが前記貯水部と連通し前記第２のポートが前記便器の排水配管と連通する第１の状態と、前記第１のポートおよび前記第２のポートが前記貯水部と連通する第２の状態と、を切替可能であり、前記機能水生成部により生成された機能水が前記貯水部に貯留されるときには、前記切替弁は、前記第１の状態となり、前記噴出部が前記貯水部に貯留された機能水を噴出するときには、前記切替部は、前記第２の状態となることを特徴とするトイレ装置である。
【００１７】
このトイレ装置によれば、流路切替弁の構造を有する切替弁を用いることで、機能水が噴霧されるときの流量と、機能水が貯水部に貯留されるときの流量と、をより簡単に調整することができる。また、機能水生成部により生成された機能水が無駄使いされることを抑制することができる。これにより、機能水生成部を長寿命化させることができる。
【００１８】
第７の発明は、第１または６の発明において、前記機能水生成部は、電解槽を有し次亜塩素酸を含む水を生成し、前記噴出部から噴出される機能水は、次亜塩素酸を含む水として前記ボウルの表面に噴出されることを特徴とするトイレ装置である。
【００１９】
このトイレ装置によれば、噴出部から噴出される機能水は、次亜塩素酸を含む水である。次亜塩素酸を含む水は、より強い殺菌力を有する。そのため、より簡易的な機構により、便器のボウルの表面または人体洗浄ノズルの表面を殺菌し、清潔なトイレ装置を提供することができる。
【発明の効果】
【００２０】
本発明の態様によれば、清潔なあるいはコンパクトなトイレ装置が提供される。
【図面の簡単な説明】
【００２１】
【図１】本発明の実施の形態にかかるトイレ装置を表す模式図である。
【図２】本実施形態にかかるトイレ装置の要部構成を表すブロック図である。
【図３】本実施形態の金属イオン酸性水生成装置を表す模式的斜視図である。
【図４】本実施形態の金属イオン酸性水生成装置を表す模式図である。
【図５】本実施形態の金属イオン酸性水生成装置を表す模式図である。
【図６】本実施形態の金属イオン酸性水生成装置のハウジング内の流路を表す模式図である。
【図７】本実施形態の第１の流路切替弁を説明する模式図である。
【図８】本実施形態のディスク開口パターンを例示する模式的平面図である。
【図９】本実施形態の流路切替パターンを例示する模式的概略図である。
【図１０】比較例の流路切替パターンを例示する模式的概略図である。
【図１１】酸性水の流れを説明する模式図である。
【図１２】酸性水の流れを説明する模式図である。
【図１３】アルカリ性水の流れを説明する模式図である。
【図１４】本発明の他の実施の形態にかかるトイレ装置の要部構成を表すブロック図である。
【図１５】本実施形態の殺菌水生成装置を表す模式的断面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式図である。  
図１においては、説明の便宜上、衛生洗浄装置を表す模式図は模式的平面図であり、洋式腰掛便器を表す模式図は模式的断面図である。
【００２３】
図１に表したトイレ装置１０は、洋式腰掛便器（以下説明の便宜上、単に「便器」と称する）８００と、その上に設けられた衛生洗浄装置１００と、を備える。便器８００は、ボウル８０１を有する。衛生洗浄装置１００は、ケーシング４００と、便座２００と、便蓋３００と、を有する。便座２００と便蓋３００とは、ケーシング４００に対して開閉自在にそれぞれ軸支されている。なお、便蓋３００は、必ずしも設けられていなくともよい。
【００２４】
例えばケーシング４００の下部には、噴霧ノズル（噴出部）４７３が設けられている。噴霧ノズル４７３は、便器８００のボウル８０１の表面またはおしり洗浄ノズル（人体洗浄ノズル）４３９（図２参照）の表面に向けて水や殺菌水を噴出する。おしり洗浄ノズル４３９は、図示しない吐水口から水を噴射して便座２００に座った使用者の「おしり」などを洗浄することができる。噴霧ノズル４７３は、ケーシング４００の内部に設けられていてもよいし、ケーシング４００の外部に付設されていてもよい。  
なお、本願明細書において「水」という場合には、冷水のみならず、加熱されたお湯も含むものとする。
【００２５】
ケーシング４００の内部には、機能水生成部５１０と、貯水部５４０と、が設けられている。機能水生成部５１０は、例えば酸性水や殺菌水などの機能水を生成する。貯水部５４０は、機能水生成部５１０が生成した機能水を貯留することができる。あるいは、貯水部５４０は、水を貯留することなく下流側へ供給することができる。
【００２６】
次に、本実施形態にかかるトイレ装置１０について、図面を参照しつつさらに説明する。  
図２は、本実施形態にかかるトイレ装置の要部構成を表すブロック図である。  
図２は、水路系と電気系の要部構成を併せて表している。
【００２７】
図２に表したように、本実施形態にかかるトイレ装置１０が備える衛生洗浄装置１００は、給水手段４０１から供給された水をおしり洗浄ノズル４３９に導く第１の流路２３を有する。第１の流路２３の上流側には、バルブ４１３および熱交換器ユニット４１５が設けられている。バルブ４１３は、開閉可能な電磁バルブであり、ケーシング４００の内部に設けられた制御装置１８０からの指令に基づいて水の供給を制御する。熱交換器ユニット４１５は、図示しない温水ヒータを有し、供給された水を加熱して所定の温水にする。
【００２８】
バルブ４１３および熱交換器ユニット４１５の下流には、ＶＢ（バキュームブレーカ）付きストレーナ４１９が設けられている。ＶＢ付きストレーナ４１９を通過した洗浄水は、電磁ポンプ４３５および流量調整弁４３７を介しておしり洗浄ノズル４３９へ導かれる。そして、洗浄水は、おしり洗浄ノズル４３９に設けられた図示しない吐水口から便座２００に着座した使用者の「おしり」などへ向かって噴射される。
【００２９】
流量調整弁４３７は、おしり洗浄ノズル４３９や噴霧ノズル４７３への給水の開閉や切替を行う。第１の流路２３は、流量調整弁４３７により、おしり洗浄ノズル４３９へ洗浄水などを導く流路（第１の流路２３）と、噴霧ノズル４７３へ洗浄水などを導く第２の流路２５と、に分岐される。
【００３０】
流量調整弁４３７と噴霧ノズル４７３との間には、金属イオン酸性水生成装置５００が設けられている。つまり、金属イオン酸性水生成装置５００は、第２の流路２５の途中に設けられている。金属イオン酸性水生成装置５００は、機能水生成部５１０と、切替弁５０６と、貯水部５４０と、を有する。
【００３１】
金属イオン酸性水生成装置５００において、第２の流路２５の上流側には、機能水生成部５１０が設けられている。機能水生成部５１０の下流側には、切替弁５０６が設けられている。機能水生成部５１０は、例えば電解槽などを有し、酸性水（機能水）とアルカリ性水とを生成する。本実施形態の切替弁５０６は、複数の流路切替弁を有していてもよい。
【００３２】
本実施形態では、切替弁５０６は、機能水生成部５１０から供給されたアルカリ性水を便器８００の排水配管８０７（図１参照）に直接排出する。これによれば、アルカリ性水が便器８００のボウル８０１の表面に接触することがない。そのため、アルカリ性水が酸性水の殺菌作用を低減させることを抑制することができる。  
あるいは、切替弁５０６は、本実施形態の水垢抑制効果を阻害しない範囲内において機能水生成部５１０から供給されたアルカリ性水を便器８００へ流してもよい。
【００３３】
また、切替弁５０６は、機能水生成部５１０から供給された酸性水を貯水部５４０へ導く。続いて、貯水部５４０では、機能水生成部５１０により生成された酸性水を使用し金属イオンを含む酸性水（金属イオン酸性水）が生成される。貯水部５４０において生成された金属イオン酸性水は、噴霧ノズル４７３へ導かれる。噴霧ノズル４７３は、貯水部５４０から供給された金属イオン酸性水をボウル８０１の表面へ噴霧する。
【００３４】
ここで、一般的に、トイレ装置１０のコンパクト化が求められている。そのためには、機能水を生成する機能水生成部５１０をコンパクト化させる必要がある。しかし、機能水生成部５１０を小さくすると、機能水の生成量が少なくなる。すると、噴霧ノズル４７３が機能水を噴霧するときの瞬間流量が減少する。そのため、噴霧ノズル４７３が便器８００のボウル８０１の表面全体に万遍なく機能水を噴霧することが困難となる。
【００３５】
例えば、機能水生成部５１０において生成される酸性水の流量は、約５０ミリリットル／分（ｍｌ／ｍｉｎ）程度である。例えば、機能生成部５１０において生成されるアルカリ性水の流量は、約３００ｍｌ／ｍｉｎ程度である。本発明者が得た知見によれば、噴霧ノズル４７３が便器８００のボウル８０１の表面全体に万遍なく機能水を噴霧するためには、約２５０ｍｌ／ｍｉｎ程度の流量が必要である。
【００３６】
これに対して、本実施形態では、噴霧ノズル４７３が機能水を噴霧するときに機能水生成部５１０および貯水部５４０を通過し噴霧ノズル４７３に供給される洗浄水の流量は、機能水生成部５１０において生成された機能水が貯水部５４０に貯留されるときの流量よりも多い。噴霧ノズル４７３が機能水を噴霧するとき（洗浄水が噴霧ノズル４７３に供給されるとき）には、機能水生成部５１０の機能は、停止している。
【００３７】
これによれば、比較的少ない流量で機能水を生成することができるとともに、比較的多い流量の機能水を貯水部５４０から噴霧ノズル４７３へ流すことができる。これにより、比較的少ない水量の機能水を比較的多い瞬間流量で噴霧することができる。そのため、便器８００のボウル８０１の表面全体に万遍なく機能水を噴霧することができる。そのため、清潔なトイレ装置１０を提供することができるとともに、コンパクトなトイレ装置１０を提供することができる。
【００３８】
次に、本実施形態の金属イオン酸性水生成装置５００について、図面を参照しつつさらに説明する。  
図３は、本実施形態の金属イオン酸性水生成装置を表す模式的斜視図である。  
図４は、本実施形態の金属イオン酸性水生成装置を表す模式図である。  
図４（ａ）は、図３（ａ）に表した矢視Ｂ１の方向にみたときの金属イオン酸性水生成装置を表す模式的平面図である。図４（ｂ）は、図４（ａ）に表した切断面Ａ−Ａにおける模式的断面図である。
【００３９】
金属イオン酸性水生成装置５００は、金属イオンを含む酸性水を生成する。以下では、金属イオン酸性水生成装置５００がアルミニウムイオンを含む酸性水（アルミニウムイオン酸性水）を生成する場合を例に挙げて説明する。この場合には、機能水（酸性水）は、アルミニウムイオンを含む。なお、本実施形態では、金属がアルミニウムである場合を例に挙げているが、金属としては、鉄、銅、アルミニウムなどでも同様の効果を発揮することができる。
【００４０】
金属イオン酸性水生成装置５００は、機能水生成部（酸性水生成装置）５１０と、第１の流路切替弁５２０と、第２の流路切替弁５３０と、貯水部（アルミニウム槽）５４０と、を有する。図３に表した金属イオン酸性水生成装置５００の切替弁５０６は、複数の流路切替弁（第１の流路切替弁５２０、第２の流路切替弁５３０）を有する。機能水生成部５１０は、電解槽を有し、酸性水とアルカリ性水とを生成する。
【００４１】
本実施形態では、第１の流路切替弁５２０および第２の流路切替弁５３０のいずれか一方は、機能水生成部５１０から供給されたアルカリ性水を便器８００の排水配管８０７に直接排出することができる。  
第１の流路切替弁５２０および第２の流路切替弁５３０のいずれか他方は、機能水生成部５１０から供給された酸性水を貯水部５４０へ導くことができる。
【００４２】
図４（ｂ）に表したように、貯水部５４０は、タンク５４１と、アルミニウム５４３と、を有する。機能水生成部５１０から供給された酸性水は、タンク５４１内に貯留される。そして、タンク５４１内に設置されたアルミニウム５４３は、タンク５４１内に貯留された酸性水により浸漬された状態となる。
【００４３】
すると、酸性水に浸漬されたアルミニウム５４３は、所定の時間をかけて溶解（徐溶）する。これにより、タンク５４１内の酸性水は、アルミニウムイオンを含む酸性水（アルミニウムイオン酸性水）となる。つまり、貯水部５４０において、金属イオン（本実施形態ではＡｌ３＋）を含む酸性度の高い水溶液が生成される。
【００４４】
貯水部５４０により生成されたアルミニウムイオン酸性水は、噴霧ノズル４７３へ導かれる。噴霧ノズル４７３は、貯水部５４０から供給されたアルミニウムイオン酸性水をボウル８０１の表面へ噴霧する。
【００４５】
機能水生成部５１０は、第１の電解槽ケース５１１と、第２の電解槽ケース５１２と、を有する。第１の電解槽ケース５１１には、入水ポート５１３と、第２の出口ポート５１７と、が設けられている。第２の電解槽ケース５１２には、第１の出口ポート５１６が設けられている。第１の電解槽ケース５１１と第２の電解槽ケース５１２とは、互いに結合し、入水ポート５１３、第１の出口ポート５１６および第２の出口ポート５１７以外の部分において水密構造を有する。
【００４６】
また、機能水生成部５１０は、その内部に第１の電極板５１４および第２の電極板５１５を有し、制御装置１８０からの通電の制御によって、第１の電極板５１４と、第２の電極板５１５と、の間の空間（流路）を流れる水道水を電気分解できる。この際、陰極板（例えば第２の電極板５１５）においては酸（Ｈ＋）が消費され、陰極板の近傍ではｐＨが上昇する。すなわち、陰極板の近傍では、アルカリ性水が生成される。一方、陽極板（例えば第１の電極板５１４）においてはアルカリ（ＯＨ−）が消費され、陽極板の近傍ではｐＨが下降する。すなわち、陽極板の近傍では、酸性水が生成される。
【００４７】
図４（ｂ）に表した矢印Ａ１、矢印Ａ２および矢印Ａ３のように、入水ポート５１３から機能水生成部５１０の内部（第１の電解槽ケース５１１と第２の電解槽ケース５１２との間）に導かれ第１の電極板５１４の近傍を通過した水は、第１の出口ポート５１６を通って第１の流路切替弁５２０へ導かれる。一方、図４（ｂ）に表した矢印Ａ１、矢印Ａ４および矢印Ａ５のように、入水ポート５１３から機能水生成部５１０の内部に導かれ第２の電極板５１５の近傍を通過した水は、第２の出口ポート５１７を通って第２の流路切替弁５３０へ導かれる。なお、図３（ｂ）に表したように、第２の出口ポート５１７から出た水は、例えば可撓性チューブなどの配管４０８（図３（ｂ）参照）を通って第２の流路切替弁５３０へ導かれる。
【００４８】
図５は、本実施形態の金属イオン酸性水生成装置を表す模式図である。  
図５（ａ）は、機能水生成部を省略した状態において図３（ａ）に表した矢視Ｂ１の方向にみたときの金属イオン酸性水生成装置を表す模式的平面図である。図５（ｂ）は、図５（ａ）に表した切断面Ｂ−Ｂにおける模式的断面図である。
【００４９】
図５（ａ）および図５（ｂ）に表した矢印Ａ６および矢印Ａ７のように、機能水生成部５１０の第２の出口ポート５１７から供給された水は、第２の流路切替弁５３０へ向かって導かれる。このとき、図５（ｂ）に表した矢印Ａ８、矢印Ａ９および矢印Ａ１１のように、機能水生成部５１０において生成されたスケールが第２の流路切替弁５３０に進入することを抑制するため、機能水生成部５１０から供給された水は、ストレーナ５６１を通って第２の流路切替弁５３０へ導かれる。
【００５０】
図６ は、本実施形態の金属イオン酸性水生成装置のハウジング内の流路を表す模式図である。  
図６（ａ）は、図３（ａ）に表した矢視Ｂ２の方向にみたときのハウジングを表す模式的平面図である。図６（ｂ）は、図６（ａ）に表した切断面Ｃ−Ｃにおける模式的断面図である。なお、図６（ｂ）では、ハウジングだけでなく、第１の流路切替弁５２０を表している。
【００５１】
本実施形態の金属イオン酸性水生成装置５００は、金属イオン酸性水生成装置５００の外形のうちの少なくとも一部を形成するハウジング５０１を有する。図６（ａ）に表したように、ハウジング５０１は、大気開放流路５０２と、アルカリ性水流路５０３と、酸性水流路５０４と、を有する。図６（ａ）に表した矢印Ａ１２および図６（ｂ）に表した矢印Ａ１３のように、ストレーナ５６１を通って第１の流路切替弁５２０へ導かれた水は、第１の流路切替弁５２０が複数のポートのうちから選択したポートを通り、その選択されたポートに連通した流路へ導かれる。
【００５２】
例えば、図６（ｂ）に表した矢印Ａ１５のように、第１の流路切替弁５２０がアルカリ性水流路５０３に連通したポートを選択すると、水は、アルカリ性水流路５０３へ導かれる。一方、図６（ｂ）に表した矢印Ａ１６のように、第１の流路切替弁５２０が酸性水流路５０４に連通したポートを選択すると、水は、酸性水流路５０４へ導かれる。また、図６（ｂ）に表した矢印Ａ１４のように、第１の流路切替弁５２０は、大気開放流路５０２に連通したポートを選択すると、大気開放流路５０２内に空気を取り込むことができる。
【００５３】
なお、第２の流路切替弁５３０が設けられた部分のハウジング５０１の構造は、第１の流路切替弁５２０が設けられた部分のハウジング５０１の構造と同様である。また、第２の流路切替弁５３０における水の流れおよび空気の流れの概略は、第１の流路切替弁５２０における水の流れおよび空気の流れの概略と同様である。
【００５４】
ここで、第１の流路切替弁５２０および第２の流路切替弁５３０について、図面を参照しつつさらに説明する。なお、第２の流路切替弁５３０の構造および動作は、第１の流路切替弁５２０の構造および動作と同様であるため、以下では、第１の流路切替弁５２０を例に挙げて説明する。
【００５５】
図７は、本実施形態の第１の流路切替弁を説明する模式図である。  
図７（ａ）は、本実施形態の第１の流路切替弁５２０の内部構造を表す模式的断面図である。図７（ｂ）は、図７（ａ）に表した矢視Ｂ３の方向にみたときの模式的平面図である。図７（ｃ）は、本実施形態のステータを表す模式的斜視図である。図７（ｄ）は、本実施形態のパッキンを表す模式的斜視図である。
【００５６】
本実施形態の第１の流路切替弁５２０は、回転軸５２１と、ロータ（第１のディスク）５２２と、ステータ（第２のディスク）５２３と、パッキン５２４と、を有する。本実施形態の第１の流路切替弁は、ディスク式の切替弁である。
【００５７】
回転軸５２１は、例えばモータなどの駆動部５２９（図６（ｂ）参照）と接続され、駆動部５２９から伝達される駆動力を受けて回転する。  
ロータ５２２は、回転軸５２１と接続され、回転軸５２１と共に回転する。  
図７（ａ）に表したように、ステータ５２３は、ロータ５２２と対面して設けられている。図７（ｂ）に表したように、ステータ５２３は、大気開放ポート５２３ａと、酸性水ポート５２３ｂと、アルカリ性水ポート５２３ｃと、を有する。大気開放ポート５２３ａは、酸性水ポート５２３ｂおよびアルカリ性水ポート５２３ｃの位置よりも上方の位置に設けられている。
【００５８】
大気開放ポート５２３ａは、ハウジング５０１に設けられた大気開放流路５０２と連通し、大気と連通している。酸性水ポート５２３ｂは、ハウジング５０１に設けられた酸性水流路５０４と連通し、貯水部５４０と連通している。アルカリ性水ポート５２３ｃは、ハウジング５０１に設けられたアルカリ性水流路５０３と連通し、便器８００の排水配管８０７と連通している。
【００５９】
図７（ｃ）に表したように、ロータ５２２と対面する側のステータ５２３の表面には、酸性水溝部５２３ｅと、アルカリ性水溝部５２３ｆと、が設けられている。酸性水溝部５２３ｅは、酸性水ポート５２３ｂと接続されている。アルカリ性水溝部５２３ｆは、アルカリ性水ポート５２３ｃと接続されている。
【００６０】
パッキン５２４は、例えばゴムなどの弾性を有する材料により形成され、ロータ５２２と対面する側の面と反対側の面に付設されている。図６（ｂ）に表したように、第１の流路切替弁５２０がハウジング５０１に取り付けられた状態では、パッキン５２４は、ハウジング５０１と当接している。
【００６１】
パッキン５２４は、第１の仕切部５２４ａと、第２の仕切部５２４ｂと、を有する。    第１の仕切部５２４ａは、アルカリ性水ポート５２３ｃを通過したアルカリ性水が大気開放流路５０２に進入することを抑制する。あるいは、大気開放流路５０２を通った空気がアルカリ性水ポート５２３ｃを通過することを抑制する。  
第２の仕切部５２４ｂは、酸性水ポート５２３ｂを通過した酸性水がアルカリ性水流路５０３に進入することを抑制する。あるいは、第２の仕切部５２４ｂは、アルカリ性水ポート５２３ｃを通過したアルカリ性水が酸性水流路５０４に進入することを抑制する。
【００６２】
図８は、本実施形態のディスク開口パターンを例示する模式的平面図である。  
図８（ａ）は、アルカリ性水を排出するときのディスク開口パターンを表す模式的平面図である。図８（ｂ）は、アルミニウムイオン酸性水を生成するときのディスク開口パターンを表す模式的平面図である。図８（ｃ）は、噴霧を行うときのディスク開口パターンを表す模式的平面図である。図８（ｄ）は、水抜きを行うときのディスク開口パターンを表す模式的平面図である。
【００６３】
図８（ａ）〜図８（ｄ）に表したように、ロータ５２２は、第１の水供給ポート（第１のポート）５２２ａと、第２の水供給ポート５２２ｂと、を有する。第１の水供給ポート５２２ａおよび第２の水供給ポート５２２ｂのそれぞれは、第１の流路切替弁５２０よりも上流の流路と連通している。ロータ５２２は、図８（ａ）に表した矢印Ａ１８の一方向に回転することができる。
【００６４】
図８（ａ）に表したように、アルカリ性水を排出するときには、第１の水供給ポート５２２ａは、アルカリ性水ポート５２３ｃと連通した位置に配置される。これにより、第１の流路切替弁５２０に供給されたアルカリ性水は、第１の水供給ポート５２２ａ、アルカリ性水ポート５２３ｃおよびアルカリ性水流路５０３を通って衛生洗浄装置１００の外（便器８００の排水配管８０７）へ排出される。つまり、アルカリ性水を排出するときには、第１の水供給ポート５２２ａは、便器８００の排水配管８０７と連通する。なお、金属イオン酸性水生成装置５００が待機状態のときには、第１の水供給ポート５２２ａは、図８（ａ）に表した位置（原点）にある。
【００６５】
図８（ｂ）に表したように、アルミニウムイオン酸性水を生成するときには、第１の水供給ポート５２２ａは、酸性水溝部５２３ｅと連通した位置に配置される。これにより、図８（ｂ）に表した矢印Ａ１９のように、第１の流路切替弁５２０に供給された酸性水は、第１の水供給ポート５２２ａ、酸性水溝部５２３ｅ、酸性水ポート５２３ｂおよび酸性水流路５０４を通って貯水部５４０へ導かれる。つまり、アルミニウムイオン酸性水を生成するときには、第１の水供給ポート５２２ａは、貯水部５４０と連通する。
【００６６】
図８（ｃ）に表したように、貯水部５４０において生成されたアルミニウムイオン酸性水を便器８００のボウル８０１の表面に噴霧するときには、第１の水供給ポート５２２ａは、酸性水ポート５２３ｂと連通した位置に配置される。これにより、第１の流路切替弁５２０に供給された水は、第１の水供給ポート５２２ａ、酸性水ポート５２３ｂおよび酸性水流路５０４を通って貯水部５４０へ導かれる。さらに、貯水部５４０において生成されたアルミニウムイオン酸性水は、便器８００のボウル８０１の表面に噴霧される。
【００６７】
アルミニウムイオン酸性水を便器８００のボウル８０１の表面に噴霧するときには、第２の流路切替弁５３０のディスク開口パターンは、第１の流路切替弁５２０のディスク開口パターンと同じになる。すなわち、第２の流路切替弁５３０においても、第１の水供給ポート５２２ａは、酸性水ポート５２３ｂと連通した位置に配置される。これにより、第２の流路切替弁５３０に供給された水は、第１の水供給ポート５２２ａ、酸性水ポート５２３ｂおよび酸性水流路５０４を通って貯水部５４０へ導かれる。
【００６８】
これによれば、噴霧ノズル４７３がアルミニウムイオン酸性水を噴霧するときに機能水生成部５１０から第１の流路切替弁５２０へ供給される水は、第１の水供給ポート５２２ａを通って貯水部５４０へ導かれる。また、噴霧ノズル４７３がアルミニウムイオン酸性水を噴霧するときに機能水生成部５１０から第２の流路切替弁５３０へ供給される水は、第１の水供給ポート５２２ａを通って貯水部５４０へ導かれる。そのため、噴霧ノズル４７３がアルミニウムイオン酸性水を噴霧するときに貯水部５４０に供給される水の流量は、機能水生成部５１０において生成された機能水が貯水部５４０に貯留されるときに貯水部５４０に供給される水の流量よりも多い。
【００６９】
図８（ｄ）に表したように、水抜きを行うときには、第１の水供給ポート５２２ａは、大気開放ポート５２３ａと連通した位置に配置される。これにより、大気開放流路５０２、大気開放ポート５２３ａおよび第１の水供給ポート５２２ａを通った空気が、第１の流路切替弁５２０に取り込まれる。
【００７０】
図７および図８においては、第１の流路切替弁５２０を例に挙げて説明した。第２の流路切替弁５３０の構造および動作は、第１の流路切替弁５２０の構造および動作と同様である。  
すなわち、本実施形態の第２の流路切替弁５２０は、回転軸５２１と、ロータ５２２と、ステータ５２３と、パッキン５２４と、を有する。図８（ａ）〜図８（ｄ）に表したように、第２の流路切替弁５３０のロータ５２２は、第１の水供給ポート（第２のポート）５２２ａと、第２の水供給ポート５２２ｂと、を有する。つまり、本実施形態では、第１の流路切替弁５２０の第１の水供給ポートを「第１のポート」とし、第２の流路切替弁５３０の第１の水供給ポートを「第２のポート」とする。
【００７１】
ここで、図２に関して前述したように、一般的に、トイレ装置１０のコンパクト化が求められている一方で、噴霧ノズル４７３が便器８００のボウル８０１の表面全体に万遍なく機能水を噴霧することが困難となる。
【００７２】
これに対して、本実施形態では、機能水が貯水部５４０に貯留される場合において、第１の電極板５１４が陽極板であるときには、機能水生成部５１０の第１の出口ポート５１６から第１の流路切替弁５２０に供給される酸性水は、貯水部５４０へ導かれる（図８（ｂ）参照）。このときには、第２の電極板５１５が陰極板である。機能水生成部５１０の第２の出口ポート５１７から第２の流路切替弁５３０に供給されるアルカリ性水は、便器８００の排水配管８０７へ排出される（図８（ａ）参照）。
【００７３】
機能水生成部５１０においては、炭酸カルシウムなどのスケールが生成されることを抑制するため、第１の電極板５１４の極性と第２の電極板５１５の極性とを切り替える極性反転（ポールチェンジ）が行われることがある。
【００７４】
そこで、機能水が貯水部５４０に貯留される場合において、第１の電極板５１４が陰極板であるときには、機能水生成部５１０の第１の出口ポート５１６から第１の流路切替弁５２０に供給されるアルカリ性水は、便器８００の排水配管８０７へ排出される（図８（ａ）参照）。このときには、第２の電極板５１５が陽極板である。機能水生成部５１０の第２の出口ポート５１７から第２の流路切替弁５３０に供給される酸性水は、貯水部５４０へ導かれる（図８（ｂ）参照）。
【００７５】
一方で、噴霧ノズル４７３がアルミニウムイオン酸性水を噴霧する場合には、機能水生成部５１０の機能は、停止している。そのため、機能水生成部５１０から第１の流路切替弁５２０および第２の流路切替弁５３０のそれぞれに供給される水は、酸性水ではなく洗浄水（上水）である。そこで、機能水生成部５１０の第１の出口ポート５１６から第１の流路切替弁５２０に供給される洗浄水は、貯水部５４０へ導かれる（図８（ｃ）参照）。また、機能水生成部５１０の第２の出口ポート５１７から第２の流路切替弁５３０に供給される洗浄水は、貯水部５４０へ導かれる（図８（ｃ）参照）。
【００７６】
これによれば、噴霧ノズル４７３がアルミニウムイオン酸性水を噴霧するときに機能水生成部５１０および貯水部５４０を通過し噴霧ノズル４７３に供給される洗浄水の流量は、機能水生成部５１０において生成された機能水が貯水部５４０に貯留されるときの流量よりも多い。  
このとき、機能水生成部５１０の機能が停止しているため、貯水部５４０において生成されたアルミニウムイオン酸性水は、第１の流路切替弁５２０および第２の流路切替弁５３０を通して第２の流路２５の上流側から供給される洗浄水（上水）により押し出され噴霧ノズル４７３から噴霧される。
【００７７】
これによれば、比較的少ない流量で機能水を生成することができるとともに、比較的多い流量の機能水を貯水部５４０から噴霧ノズル４７３へ流すことができる。これにより、比較的少ない水量の機能水を比較的多い瞬間流量で噴霧することができる。そのため、便器８００のボウル８０１の表面全体に万遍なく機能水を噴霧することができる。また、おしり洗浄ノズル４３９の表面に比較的多い瞬間流量で機能水を噴霧することができる。そのため、おしり洗浄ノズル４３９の表面をより清潔にすることができる。そのため、清潔なトイレ装置１０を提供することができるとともに、コンパクトなトイレ装置１０を提供することができる。
【００７８】
また、本実施形態の金属イオン酸性水生成装置５００によれば、第１の流路切替弁５２０および第２の流路切替弁５３０を用いることで、アルミニウムイオン酸性水が噴霧されるときの流量と、機能水が貯水部５４０に貯留されるときの流量と、をより簡単に調整することができる。そのため、清潔なトイレ装置１０を提供することができるとともに、コンパクトなトイレ装置１０を提供することができる。
【００７９】
また、本実施形態の金属イオン酸性水生成装置５００は、切替弁５０６（第１の流路切替弁５２０、第２の流路切替弁５３０）および貯水部５４０が機能水生成部５１０と一体化された構造を有する。これにより、機能水生成部５１０、切替弁５０６および貯水部５４０を１つの装置としてユニット化することができるため、よりコンパクトなトイレ装置１０を実現することができる。
【００８０】
また、本実施形態では、噴霧ノズル４７３から噴霧される機能水は、アルミニウムイオンを含む酸性水である。アルミニウムイオン酸性水は、ケイ酸の重合を抑制し、ケイ酸に由来する水垢の生成を抑制することができる。そのため、より簡易的な機構によりケイ酸に由来する水垢の除去を容易にすることができる。
【００８１】
図９は、本実施形態の流路切替パターンを例示する模式的概略図である。  
図１０は、比較例の流路切替パターンを例示する模式的概略図である。
【００８２】
図８に関して前述したように、極性反転（ポールチェンジ）が行われることがある。そこで、まず、図１０を参照しつつ比較例の流路切替パターンについて説明する。
【００８３】
図１０に表した比較例では、流路切替弁は設けられていない。あるいは、図１０に表した比較例では、１つの流路切替弁が設けられている。この場合には、図１０（ａ）に表したように、第１の電極板５１４が陽極板である場合には、第１の電極板５１４の近傍では酸性水が生成されるため、「ＯＵＴ１」として酸性水が排出される。一方、第２の電極板５１５が陰極板である場合には、第２の電極板５１５の近傍ではアルカリ性水が生成されるため、「ＯＵＴ２」としてアルカリ性水が排出される。  
続いて、図１０（ｂ）に表したように、極性反転が行われると、第１の電極板５１４が陰極板となり、第２の電極板５１５が陽極板となる。この場合には、第２の電極板５１５の近傍では酸性水が生成されるため、「ＯＵＴ４」として酸性水が排出される。一方、第１の電極板５１４の近傍ではアルカリ性水が生成されるため、「ＯＵＴ３」としてアルカリ性水が排出される。
【００８４】
このように、流路切替弁が設けられていない場合、あるいは１つの流路切替弁が設けられた場合には、極性反転が行われると、酸性水およびアルカリ性水のそれぞれの排出先が反転する。そのため、本比較例において、酸性水およびアルカリ性水のそれぞれを所定の排出先に排出するためには、機能水生成部５１０は、４つの出口ポートが必要となる。
【００８５】
これに対して、本実施形態では、２つの流路切替弁が設けられている。つまり、第１の流路切替弁５２０と、第２の流路切替弁５３０と、が設けられている。図９（ａ）および図９（ｂ）に表した「○（白丸）」は、弁が開いていることを表している。図９（ａ）および図９（ｂ）に表した「●（黒丸）」は、弁が閉じていることを表している。
【００８６】
図９（ａ）に表したように、第１の電極板５１４が陽極板である場合には、第１の電極板５１４の近傍では酸性水が生成されるため、酸性水は、第１の流路切替弁５２０へ供給される。このとき、第１の流路切替弁５２０は、酸性水ポート５２３ｂを選択し、酸性水が酸性水流路５０４へ流れるようにしている（図８（ｂ）参照）。そのため、「ＯＵＴ１」として酸性水が排出される。  
一方、第２の電極板５１５が陰極板である場合には、第２の電極板５１５の近傍ではアルカリ性水が生成されるため、アルカリ性水は、第２の流路切替弁５３０へ供給される。このとき、第２の流路切替弁５３０は、アルカリ性水ポート５２３ｃを選択し、アルカリ性水がアルカリ性水流路５０３へ流れるようにしている（図８（ａ）参照）。そのため、「ＯＵＴ２」としてアルカリ性水が排出される。
【００８７】
続いて、極性反転が行われると、第１の電極板５１４が陰極板となり、第２の電極板５１５が陽極板となる。その場合には、第２の電極板５１５の近傍で生成された酸性水は、第２の流路切替弁５３０へ供給される。このとき、第２の流路切替弁５３０は、酸性水ポート５２３ｂを選択し、酸性水が酸性水流路５０４へ流れるようにしている（図８（ｂ）参照）。そのため、「ＯＵＴ１」として酸性水が排出される。  
一方、第１の電極板５１４の近傍で生成されたアルカリ性水は、第１の流路切替弁５２０へ供給される。このとき、第１の流路切替弁５２０は、アルカリ性水ポート５２３ｃを選択し、アルカリ性水がアルカリ性水流路５０３へ流れるようにしている（図８（ａ）参照）。そのため、「ＯＵＴ２」としてアルカリ性水が排出される。
【００８８】
このように、本実施形態では、２つの流路切替弁が設けられているため、極性反転が行われても酸性水およびアルカリ性水のそれぞれの排出先を同じにすることができる。そのため、機能水生成部５１０は、２つの出口ポートを有することで、酸性水およびアルカリ性水のそれぞれを所定の排出先に排出することができる。
【００８９】
図１１および図１２は、酸性水の流れを説明する模式図である。  
図１１（ａ）は、図６（ａ）に表した切断面Ｃ−Ｃにおける模式的断面図である。図１１（ｂ）は、図１１（ａ）に表した切断面Ｄ−Ｄにおける模式的断面図である。図１２（ａ）は、図３（ａ）に表した矢視Ｂ２の方向にみたときの金属イオン酸性水生成装置を表す模式的平面図である。図１２（ｂ）は、図１２に表した切断面Ｅ−Ｅにおける模式的断面図である。なお、図１１（ａ）では、ハウジングだけでなく、第１の流路切替弁５２０を表している。
【００９０】
図９（ａ）に関して前述したように、酸性水が第１の流路切替弁５２０へ供給される場合には、第１の流路切替弁５２０は、酸性水ポート５２３ｂを選択し、酸性水が酸性水流路５０４へ流れるようにしている（図８（ｂ）参照）。図１２（ｂ）に表した矢印Ａ２１のように、酸性水流路５０４を流れた酸性水は、貯水部５４０のタンク５４１へ導かれる。
【００９１】
一方、図９（ｂ）に関して前述したように、酸性水が第２の流路切替弁５３０へ供給される場合には、第２の流路切替弁５３０は、酸性水ポート５２３ｂを選択し、酸性水が酸性水流路５０４へ流れるようにしている（図８（ｂ）参照）。図１１（ｂ）に表した矢印Ａ２２のように、酸性水流路５０４を流れた酸性水は、貯水部５４０のタンク５４１へ導かれる。
【００９２】
図１２（ａ）に表した矢印Ａ２３ならびに図１２（ｂ）に表した矢印Ａ２４および矢印Ａ２５のように、貯水部５４０において生成されたアルミニウムイオン酸性水は、噴霧ポート５４５を通って噴霧ノズル４７３へ導かれる。
【００９３】
図１３は、アルカリ性水の流れを説明する模式図である。  
図１３（ａ）は、図３（ａ）に表した矢視Ｂ４の方向にみたときの金属イオン酸性水生成装置を表す模式的平面図である。図１３（ｂ）は、図１３（ａ）に表した切断面Ｆ−Ｆにおける模式的断面図である。
【００９４】
図９（ｂ）に関して前述したように、アルカリ性水が第１の流路切替弁５２０へ供給される場合には、第１の流路切替弁５２０は、アルカリ性水ポート５２３ｃを選択し、アルカリ性水がアルカリ性水流路５０３へ流れるようにしている（図８（ａ）参照）。図１３（ａ）に表した矢印Ａ２６および図１３（ｂ）に表した矢印Ａ２７のように、アルカリ性水流路５０３を流れたアルカリ性水は、排水ポート５２６を通ってケーシング４００の外（便器８００の排水配管８０７）へ排出される。
【００９５】
一方、図９（ａ）に関して前述したように、アルカリ性水が第２の流路切替弁５３０へ供給される場合には、第２の流路切替弁５３０は、アルカリ性水ポート５２３ｃを選択し、アルカリ性水がアルカリ性水流路５０３へ流れるようにしている（図８（ａ）参照）。図１３（ａ）に表した矢印Ａ２６および図１３（ｂ）に表した矢印Ａ２８ように、アルカリ性水流路５０３を流れたアルカリ性水は、排水ポート５２６を通ってケーシング４００の外（便器８００の排水配管８０７）へ排出される。
【００９６】
次に、本発明の他の実施の形態について、図面を参照しつつ説明する。  
図１４は、本発明の他の実施の形態にかかるトイレ装置の要部構成を表すブロック図である。  
図１５は、本実施形態の殺菌水生成装置を表す模式的断面図である。  
図１４は、水路系と電気系の要部構成を併せて表している。
【００９７】
図１に関して前述した衛生洗浄装置１００と同様に、本実施形態の衛生洗浄装置１００ａは、便器８００の上に設けられている。  
図１４に表したように、本実施形態の衛生洗浄装置１００ａは、流量調整弁４３７と噴霧ノズル４７３との間に、切替弁４３１と、殺菌水生成装置（機能水生成部）４４０と、貯水部４５０と、を有する。つまり、図２に関して前述した金属イオン酸性水生成装置５００の代わりに、切替弁４３１と、殺菌水生成装置４４０と、貯水部４５０と、が設けられている。
【００９８】
図１５に表したように、本実施形態の殺菌水生成装置４４０は、その内部に陽極板４４１および陰極板４４２を有し、制御装置１８０からの通電の制御によって、内部を流れる水道水を電気分解できる。ここで、水道水は、塩化物イオンを含んでいる。この塩化物イオンは、水源（例えば、地下水や、ダムの水や、河川などの水）に例えば食塩（ＮａＣｌ）や塩化カルシウム（ＣａＣｌ２）などとして含まれている。そのため、その塩化物イオンを電気分解することにより次亜塩素酸が生成される。その結果、殺菌水生成装置４４０において電気分解された水（電解水）は、次亜塩素酸を含む液（機能水）に変化する。
【００９９】
次亜塩素酸は、殺菌成分として機能し、その次亜塩素酸を含む液すなわち殺菌水は、アンモニアや油分などによる汚れを効率的に除去あるいは分解したり、殺菌することができる。  
なお、殺菌水生成装置４４０において生成される殺菌水（電解水、機能水）は、銀イオンや銅イオンなどの金属イオンを含む液であってもよい。あるいは、殺菌水生成装置４４０において生成される殺菌水は、電解塩素やオゾンなどを含む液であってもよい。あるいは、殺菌水生成装置４４０において生成される殺菌水は、酸性水やアルカリ水であってもよい。あるいは、殺菌水生成装置４４０は、電解槽ユニットに限定されるわけではない。すなわち、殺菌水は、殺菌剤および殺菌液を水に溶解させることによって生成される殺菌水であってもよい。
【０１００】
図１４に表した切替弁４３１の構造および動作は、図３〜図８に関して前述した切替弁５０６の構造および動作と同様である。  
すなわち、切替弁４３１は、第１の流路切替弁５２０と、第２の流路切替弁５３０と、を有する。第１の流路切替弁５２０は、第１の水供給ポート（第１のポート）５２２ａと、第２の水供給ポート５２２ｂと、を有する。第２の流路切替弁５３０は、第１の水供給ポート（第２のポート）５２２ａと、第２の水供給ポート５２２ｂと、を有する。つまり、図８に関して前述したように、第１の流路切替弁５２０の第１の水供給ポートを「第１のポート」とし、第２の流路切替弁５３０の第１の水供給ポートを「第２のポート」とする。
【０１０１】
図１４に表した貯水部４５０は、図示しないタンクを有する。図１４に表した貯水部４５０のタンクは、図４（ｂ）に関して前述した貯水部５４０のタンク５４１と同様である。本実施形態の貯水部４５０のタンクの内部には、アルミニウムは、設置されていない。そのため、殺菌水が貯水部４５０に貯留される場合には、殺菌水生成装置４４０から供給された殺菌水は、そのままの状態でタンク内に貯留される。
【０１０２】
本実施形態では、殺菌水が貯水部４５０に貯留される場合には、流量調整弁４３７から第１の流路切替弁５２０に供給される水は、殺菌水生成装置４４０を通して貯水部４５０へ導かれる（図８（ｂ）参照）。また、流量調整弁４３７から第２の流路切替弁５３０に供給される水は、便器８００の排水配管８０７へ排出される（図８（ａ）参照）。
【０１０３】
一方で、噴霧ノズル４７３が殺菌水を噴霧する場合には、流量調整弁４３７から第１の流路切替弁５２０に供給される洗浄水は、殺菌水生成装置４４０を通して貯水部５４０へ導かれる（図８（ｃ）参照）。また、流量調整弁４３７から第２の流路切替弁５３０に供給される洗浄水は、殺菌水生成装置を通して貯水部５４０へ導かれる（図８（ｃ）参照）。
【０１０４】
これによれば、噴霧ノズル４７３が殺菌水を噴霧するときに殺菌水生成装置４４０および貯水部４５０を通過し噴霧ノズル４７３に供給される洗浄水の流量は、殺菌水生成装置４４０において生成された殺菌水が貯水部４５０に貯留されるときの流量よりも多い。  
このとき、殺菌水生成装置４４０の機能が停止しているため、貯水部４５０において生成された殺菌水は、切替弁４３１および殺菌水生成装置４４０を通して第２の流路２５の上流側から供給される洗浄水（上水）により押し出され噴霧ノズル４７３から噴霧される。
【０１０５】
本実施形態によれば、切替弁４３１を用いることで、殺菌水が噴霧されるときの流量と、殺菌水が貯水部４５０に貯留されるときの流量と、をより簡単に調整することができる。また、殺菌水生成装置４４０により生成された殺菌水が無駄使いされることを抑制することができる。これにより、殺菌水生成装置４４０を長寿命化させることができる。また、本実施形態では、比較的少ない流量で、殺菌水生成装置４４０により殺菌水が生成されるため、より純度の高い殺菌水を生成することができる。そのため、強い殺菌力を有する殺菌水を生成することができる。
【０１０６】
また、本実施形態では、噴霧ノズル４７３から噴霧される機能水は、次亜塩素酸を含む水である。そのため、より簡易的な機構により、便器８００のボウル８０１の表面またはおしり洗浄ノズル４３９の表面を殺菌し、清潔なトイレ装置１０を提供することができる。
【０１０７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、金属イオン酸性水生成装置５００および殺菌水生成装置４４０などが備える各要素の形状、寸法、材質、配置などや機能水生成部５１０、第１の流路切替弁５２０、第２の流路切替弁５３０および貯水部５４０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０８】
１０ トイレ装置、  ２３ 第１の流路、  ２５ 第２の流路、  １００、１００ａ 衛生洗浄装置、  １８０ 制御装置、  ２００ 便座、  ３００ 便蓋、  ４００ ケーシング、  ４０１ 給水手段、  ４０８ 配管、  ４１３ バルブ、  ４１５ 熱交換器ユニット、  ４１９ ＶＢ付きストレーナ、  ４３１ 切替弁、  ４３５ 電磁ポンプ、  ４３７ 流量調整弁、  ４３９ おしり洗浄ノズル、  ４４０ 殺菌水生成装置、  ４４１ 陽極板、  ４４２ 陰極板、  ４５０ 貯水部、  ４７３ 噴霧ノズル、  ５００ 金属イオン酸性水生成装置、  ５０１ ハウジング、  ５０２ 大気開放流路、  ５０３ アルカリ性水流路、  ５０４ 酸性水流路、  ５０６ 切替弁、  ５１０ 機能水生成部、  ５１１ 第１の電解槽ケース、  ５１２ 第２の電解槽ケース、  ５１３ 入水ポート、  ５１４ 第１の電極板、  ５１５ 第２の電極板、  ５１６ 第１の出口ポート、  ５１７ 第２の出口ポート、  ５２０ 第１の流路切替弁、  ５２１ 回転軸、  ５２２ ロータ、  ５２２ａ 第１の水供給ポート、  ５２２ｂ 第２の水供給ポート、  ５２３ ステータ、  ５２３ａ 大気開放ポート、  ５２３ｂ 酸性水ポート、  ５２３ｃ アルカリ性水ポート、  ５２３ｅ 酸性水溝部、  ５２３ｆ アルカリ性水溝部、  ５２４ パッキン、  ５２４ａ 第１の仕切部、  ５２４ｂ 第２の仕切部、  ５２６ 排水ポート、  ５２９ 駆動部、  ５３０ 第２の流路切替弁、  ５４０ 貯水部、  ５４１ タンク、  ５４３ アルミニウム、  ５４５ 噴霧ポート、  ５６１ ストレーナ、  ８００ 便器、  ８０１ ボウル、  ８０７ 排水配管
【図１】
2014196628.tif 000003
【図２】
2014196628.tif 000004
【図３】
2014196628.tif 000005
【図４】
2014196628.tif 000006
【図５】
2014196628.tif 000007
【図６】
2014196628.tif 000008
【図７】
2014196628.tif 000009
【図８】
2014196628.tif 000010
【図１１】
2014196628.tif 000011
【図１２】
2014196628.tif 000012
【図１３】
2014196628.tif 000013
【図１４】
2014196628.tif 000014
【図９】
2014196628.tif 000015
【図１０】
2014196628.tif 000016
【図１５】
2014196628.tif 000017